(57)【要約】【課題】      船縁に極めて容易に取り付け取り外しが出来る釣竿支持装置を提供することである。【解決手段】  ゴムまたは合成樹脂の弾性体からなる台座１の縦方向中心に形成された凹部Ｏからなる非円形部１ａに釣竿支持部２に一体的に形成された回動部材３の外形の非円形部３ａが挿入されて構成されている。  非円形部１ａと非円形部３ａは長径αと短径βで菱形に形成されているが、菱形以外に例えば楕円形としてもよい。  台座１の内側は縦方向中心に凹部Ｏからなる非円形部１ａと中心に向かうリブ１ｃと中心透孔１ｄと下側の凹部１ｅと凹部Ｏからなる非円形部１ａの外側に縦方向に長い複数の凹部１ｆが上側から形成されている。【選択図】        図６
2006115801.tif 000002
【特許請求の範囲】
【請求項１】
台座の上方に釣竿支持部を有する釣竿支持装置において、前記台座に少なくとも非円形部を有する回動部材が回動可能に差し込まれ、前記回動部材の操作部を前記台座の外側に露出するように設け、前記回動部材の回動によって台座が変形するようにしたことを特徴とする釣竿支持装置。
【発明の詳細な説明】
【技術分野】
【０００１】
本発明は、船釣りで船縁に取り付けて釣竿を支持する釣竿支持装置に関する。
【背景技術】
【０００２】
従来船釣りでは特許文献１のように竿掛け本体を台座に取り付け、台座にボルトで弾性体のドラムを変形可能に取り付けて弾性体のドラムを竿立てパイプに挿入し、ボルトで弾性体のドラムを変形して竿掛け本体を台座を介して竿立てパイプに取り付けたり、特許文献２のように船縁の竿差立穴の中に複数の爪部を挿入すると共に下側からテ−パ状カムを支軸ネジ部で上方に持ち上げて複数の爪部を取り付け、支軸の上部に竿受具を支持していた。
しかし、何れもボルトや支軸ネジ部を回動して取り付けているので、取り付け取り外しが煩わしく、面倒な欠点があつた。
【特許文献１】実開昭６３−１２２０８６号公報
【特許文献２】実開平２−２３４７６号公報
【発明の開示】
【発明が解決しようとする課題】
【０００３】
解決しようとする問題点は、釣竿支持装置を船縁に取り付け取り外しが煩わしく、面倒なことである。
【０００４】
本発明の目的は前記欠点に鑑み、船縁に極めて容易に取り付け取り外しが出来る釣竿支持装置を提供することである。
【課題を解決するための手段】
【０００５】
本発明の請求項１は、台座の上方に釣竿支持部を有する釣竿支持装置において、前記台座に少なくとも非円形部を有する回動部材が回動可能に差し込まれ、前記回動部材の操作部を前記台座の外側に露出するように設け、前記回動部材の回動によって台座が変形するようにしたことを要旨とするものである。
【発明の効果】
【０００６】
本発明により、台座の非円形部からなる透孔に回動部材の非円形部を挿入して回動することで、台座の非円形部からなる透孔を変形して回動部材を抜け止めすると共に、船縁の竿立て孔に挿入した台座を抜け止めして取り付け取り外しが極めて容易に出来る。
【発明を実施するための最良の形態】
【０００７】
釣竿支持装置は、ゴムまたは合成樹脂の弾性体からなる台座１の縦方向中心に形成された凹部Ｏからなる非円形部１ａに釣竿支持部２に一体的に形成された回動部材３の外形の非円形部３ａが挿入されて構成されている。
非円形部１ａと非円形部３ａは長径αと短径βで菱形に形成されているが、菱形以外に例えば楕円形としてもよい。
台座１の内側は縦方向中心に凹部Ｏからなる非円形部１ａと中心に向かうリブ１ｃと中心透孔１ｄと下側の凹部１ｅと凹部Ｏからなる非円形部１ａの外側に縦方向に長い複数の凹部１ｆが上側から形成されている。
釣竿支持部２は二股２ａ、２ａでＹ字形に形成され、釣竿支持部２の下側に一体的に回動部材３が形成され、回動部材３の外形は非円形部３ａに形成されて非円形部３ａの下側に円柱部３ｂと偏平部３ｃが形成され、偏平部３ｃに横方向の透孔３ｄが形成されている。
釣竿支持部２の二股２ａ、２ａは回動部材３の回動用の操作部を兼ねている。
釣竿支持装置が取り付けられる船縁４には円錐台形の透孔４ａが穿設されている。
【実施例１】
【０００８】
以下、図示の実施例によって本発明を説明すると、図１から図６は第１実施例で、図１は船縁の竿立て孔に台座を介して釣竿支持部が取り付けられた船縁を断面にした側面図、図２は船縁の竿立て孔に台座を介して釣竿支持部が取り付けられた船縁を断面にした正面図、図３は台座の平面図、図４は台座の（ａ）は図３のＦ４（ａ）−Ｆ４（ａ）断面線の断面側面図で、（ｂ）は図３のＦ４（ｂ）−Ｆ４（ｂ）断面線の断面側面図で、（ｃ）は台座の底面図、図５の（ａ）は断面の台座に取り付けた釣竿支持部の正面図で、（ｂ）は釣竿支持部の断面側面図で、（ｃ）は釣竿支持部の平面図で、（ｄ）は釣竿支持部の底面図、図６の（ａ）は台座に釣竿支持部の回動部材が挿入された要部断面平面図で、（ｂ）は釣竿支持部の回動部材が角度９０度回動されて取り付けられた要部断面平面図である。
【０００９】
釣竿支持装置は、ゴムまたは合成樹脂の弾性体からなる台座１の縦方向中心に形成された凹部Ｏからなる非円形部１ａに釣竿支持部２に一体的に形成された回動部材３の外形の非円形部３ａが挿入されて構成されている。
非円形部１ａと非円形部３ａは回動部材３の回動軸に直交する断面が合致するように形成され、長径αと短径βで菱形に形成されている。
また、回動部材３を回動した時に凹部Ｏを外方へ押圧するようになっていればよく、菱形以外に楕円形としてもよい。
台座１は外形が円錐台で外周に縦方向の溝１ｂを形成してもよい。
台座１の内側は縦方向中心に凹部Ｏからなる非円形部１ａと中心に向かうリブ１ｃと中心透孔１ｄと下側の凹部１ｅと凹部Ｏからなる非円形部１ａの外側に縦方向に長い複数の凹部１ｆが上側から形成されている。
これら凹部Ｏと中心透孔１ｄと凹部１ｅは連結されており台座１の上下方向に貫通する孔を形成している。
釣竿支持部２は二股２ａ、２ａでＹ字形に形成され、釣竿支持部２の下側に一体的に回動部材３が形成され、回動部材３の外形は非円形部３ａに形成されて非円形部３ａの下側に円柱部３ｂと偏平部３ｃが形成され、偏平部３ｃに横方向の透孔３ｄが形成されている。
釣竿支持部２の二股２ａ、２ａは回動部材３の回動用の操作部を兼ねている。
釣竿支持装置が取り付けられる船縁４には円錐台形の透孔４ａが穿設されている。
【００１０】
船縁４に釣竿支持装置が取り付けられる時は、図６（ａ）のように船縁４の透孔４ａに台座１が非円形部１ａの長径αが船の内側から外側に向けて挿入される。
台座１の非円形部１ａには回動部材３の非円形部３ａが長径αの方向を一致させて挿入される。
このように非円形部１ａに合わせて非円形部３ａが挿入されると、釣竿支持部２の二股２ａ、２ａはそれぞれ船の内側と外側に向けられ、この状態では二股２ａ、２ａの間に釣竿を載せることはできない。
次に台座１に対して釣竿支持部２の二股２ａ、２ａを掴んで非円形部３ａの長径αを非円形部１ａの短径β位置に非円形部１ａを変形させながら角度９０度回動する。
この回動で台座１は凹部Ｏの内側が非円形部３ａの長径α位置で外側へ押圧されて外方へ膨出するように変形し、台座１の外側面は船縁４の透孔４ａに圧接され台座１が透孔４ａに対し抜け止めされて支持され、図６（ｂ）のように釣竿支持部２の二股２ａ、２ａは船縁４の長手方向と一致してこれに沿って並設され釣竿５を船の内側から外側に向けて掛けて支持することが出来る。
台座１の外周に縦方向の溝１ｂが形成されていると船縁４の透孔４ａに食い込みがよくなる。
【００１１】
前記のように台座１と回動部材３に夫々非円形部１ａと非円形部３ａを形成して長径αを同一方向にして挿入し、その後回動部材３を非円形部１ａを変形させながら角度９０度回動すると抜けないように取り付けることが出来、正方向または逆方向に角度９０度回動すると抜き出すことが出来る。
【００１２】
前記のように釣竿支持装置が構成されると、台座１に対して回動部材３を非円形部１ａを変形させながら角度９０度回動すると極めて容易に抜けないように取り付けることが出来、正方向または逆方向に角度９０度回動すると極めて容易に取り外すことが出来る。
【実施例２】
【００１３】
図７は第２実施例で、図７は船縁の竿立て孔に台座を介して釣竿支持部が取り付けられた（ａ）は一部断面側面図で、（ｂ）は一部断面正面図である。
【００１４】
第２実施例では、釣竿支持装置はゴムまたは合成樹脂の弾性体からなる台座１の縦方向中心に形成された透孔からなる非円形部１ａに釣竿支持部２に一体的に形成された回動部材３の外形の非円形部３ａが挿入されて構成されている。
非円形部１ａと非円形部３ａは長径αと短径βで菱形に形成されているが、他の形状でもよく例えば菱形以外に楕円形としてもよい。
台座１の内側は縦方向中心に透孔からなる非円形部１ａと下側の凹部１ｅと透孔からなる非円形部１ａの外側に縦方向に長い複数の凹部１ｆが上側から形成されている。
釣竿支持部２は二股２ａ、２ａでＹ字形に形成され、釣竿支持部２の下側に一体的に回動部材３が形成され、回動部材３の外形は非円形部３ａに形成されて非円形部３ａの下側に鍔部で抜け止め部３ｅが形成されている。
釣竿支持部２の二股２ａ、２ａは回動部材３の回動用の操作部を兼ねている。
釣竿支持装置が取り付けられる船縁４には円錐台形の透孔４ａが穿設されている。
他の構成は前記第１実施例と略同一である。
【００１５】
釣竿支持装置が船縁４に取り付けられる時は、船縁４の円錐台形の透孔４ａに台座１が第１実施例と同様に非円形部１ａの長径αが船の内側から外側に向けて挿入される。
台座１の非円形部１ａには回動部材３の非円形部３ａが長径αの方向を一致させて挿入される。
次に台座１に対して釣竿支持部２の二股２ａ、２ａを掴んで非円形部３ａの長径αを非円形部１ａの短径β位置に非円形部１ａを変形させながら角度９０度回動する。
この回動で台座１の外形は船縁４の透孔４ａに圧接され、釣竿支持部２の二股２ａ、２ａは船縁４の長手方向と一致して釣竿５を船の内側から外側に向けて掛けて支持することが出来る。
【実施例３】
【００１６】
図８は第３実施例で、図８は船縁の竿立て孔に台座を介して釣竿支持部が取り付けられた（ａ）は一部断面側面図で、（ｂ）は一部断面正面図である。
【００１７】
第３実施例では、釣竿支持装置はゴムまたは合成樹脂の弾性体からなる台座１′と釣竿支持部２′が一体的に形成されている。
台座１′の縦方向中心には透孔からなる非円形部１ａが形成され、非円形部１ａの下側の凹部１ｅと透孔からなる非円形部１ａの外側に縦方向に長い複数の凹部１ｇが下側から形成されている。
非円形部１ａの上側に凹部１ｈが形成されている。
非円形部１ａの中には回動部材３′が挿入されている。
回動部材３′の外形は非円形部３ａに形成され、非円形部３ａの上側に抜け落ち防止用の円板３ｆと操作部３ｇが形成されて非円形部３ａの下側に鍔部で抜け止め部３ｅが形成されている。
非円形部１ａと非円形部３ａは長径αと短径βで菱形に形成されているが、菱形以外の形状でもよく例えば楕円形としてもよい。
他の構成は前記第１実施例と略同一である。
【００１８】
釣竿支持装置が船縁４に取り付けられる時は、船縁４の円錐台形の透孔４ａに台座１′が第１実施例と同様に非円形部１ａの長径αが船の内側から外側に向けて挿入される。
台座１′の非円形部１ａには回動部材３′の非円形部３ａが長径αの方向を一致させて挿入される。
次に回動部材３′の操作部３ｇを掴んで非円形部３ａの長径αを非円形部１ａの短径β位置に非円形部１ａを変形させながら角度９０度回動する。
この回動で台座１′の外形は船縁４の透孔４ａに圧接され、釣竿支持部２′の二股２ａ、２ａは船縁４の長手方向と一致して釣竿を船の内側から外側に向けて掛けて支持することが出来る。
【実施例４】
【００１９】
図９は第４実施例で、図９は船縁の竿立て孔に台座を介して釣竿支持部が取り付けられた（ａ）は一部断面側面図で、（ｂ）は一部断面正面図である。
【００２０】
第４実施例では、釣竿支持装置はゴムまたは合成樹脂の弾性体からなる台座１と釣竿支持部２″が別体に形成されて回動部材３″を介して組み合わされている。
台座１の縦方向中心には透孔からなる非円形部１ａが形成され、非円形部１ａの下側の凹部１ｅと透孔からなる非円形部１ａの外側に縦方向に長い複数の凹部１ｆが上側から形成されている。
非円形部１ａの中には回動部材３″が挿入されている。
回動部材３″の外形は非円形部３ａに形成され、非円形部３ａの上側に台座１の上方に突出させて操作部３ｈが形成されて非円形部３ａの下側に鍔部で抜け止め部３ｅが形成されて非円形部３ａの中心に縦方向の透孔３ｉが穿設されている。
非円形部１ａと非円形部３ａは長径αと短径βで菱形に形成されているが、菱形以外にしてもよく例えば楕円形としてもよい。
台座１の上には釣竿支持部２″が載せられ、釣竿支持部２″の下側中心に下方に向けて支軸２ｂが形成されて支軸２ｂの下端に横向きの透孔２ｃが穿設されている。
支軸２ｂは透孔３ｉに回動可能に挿入され、透孔２ｃにＬ字形のピンを挿入して抜け止めしてもよい。
他の構成は前記第１実施例と略同一である。
【００２１】
釣竿支持装置が船縁４に取り付けられる時は、船縁４の円錐台形の透孔４ａに台座１が第１実施例と同様に非円形部１ａの長径αが船の内側から外側に向けて挿入される。
台座１の非円形部１ａには回動部材３″の非円形部３ａが長径αの方向を一致させて挿入される。
次に回動部材３″の操作部３ｈを掴んで非円形部３ａの長径αを非円形部１ａの短径β位置に非円形部１ａを変形させながら角度９０度回動する。
その後回動部材３″の透孔３ｉに釣竿支持部２″の支軸２ｂが挿入される。
回動部材３″の回動で台座１の外形は船縁４の透孔４ａに圧接される。
第４実施例の釣竿支持装置は台座１を船縁４の透孔４ａで保持させ、台座１に対し釣竿支持部２″が回動するためこれに支持されたまま釣竿の方向を変えることができる。
【産業上の利用可能性】
【００２２】
本発明は釣竿支持装置全般に利用できる。
【図面の簡単な説明】
【００２３】
【図１】第１実施例で、船縁の竿立て孔に台座を介して釣竿支持部が取り付けられた船縁を断面にした側面図である。
【図２】同船縁の竿立て孔に台座を介して釣竿支持部が取り付けられた船縁を断面にした正面図である。
【図３】同台座の平面図である。
【図４】同台座の（ａ）は図３のＦ４（ａ）−Ｆ４（ａ）断面線の断面側面図で、（ｂ）は図３のＦ４（ｂ）−Ｆ４（ｂ）断面線の断面側面図で、（ｃ）は台座の底面図である。
【図５】同（ａ）は断面の台座に取り付けた釣竿支持部の正面図で、（ｂ）は釣竿支持部の断面側面図で、（ｃ）は釣竿支持部の平面図で、（ｄ）は釣竿支持部の底面図である。
【図６】同（ａ）は台座に釣竿支持部の回動部材が挿入された要部断面平面図で、（ｂ）は釣竿支持部の回動部材が角度９０度回動されて取り付けられた要部断面平面図である。
【図７】第２実施例で、船縁の竿立て孔に台座を介して釣竿支持部が取り付けられた（ａ）は一部断面側面図で、（ｂ）は一部断面正面図である。
【図８】第３実施例で、船縁の竿立て孔に台座を介して釣竿支持部が取り付けられた（ａ）は一部断面側面図で、（ｂ）は一部断面正面図である。
【図９】第４実施例で、船縁の竿立て孔に台座を介して釣竿支持部が取り付けられた（ａ）は一部断面側面図で、（ｂ）は一部断面正面図である。
【符号の説明】
【００２４】
１、１′  台座
１ａ、３ａ  非円形部
２、２′、２″  釣竿支持部
３、３′、３″  回動部材
３ｇ、３ｈ、（２ａ）  操作部、（二股）
【図１】
2006115801.tif 000003
【図２】
2006115801.tif 000004
【図３】
2006115801.tif 000005
【図４】
2006115801.tif 000006
【図５】
2006115801.tif 000007
【図６】
2006115801.tif 000008
【図７】
2006115801.tif 000009
【図８】
2006115801.tif 000010
【図９】
2006115801.tif 000011